(57)【要約】  【課題】  簡単な構成で、耳殻に対するイヤーパッド（ハウジング）の密着性を高めることのできる聴取装置（ヘッドフォン等）を提供する。  【解決手段】  引き出される接続コード１を有するハウジング１２の一端であるＹ取り付け部１４に、耳殻装着用のイヤーハンガー１６を設けたイヤフォン１１を備えるヘッドフォン２１であって、そのイヤーハンガー１６を用いて、耳殻にイヤフォン１１を装着したときに、ハウジング１２から引き出される接続コード１が垂れ下がり、ハウジング１２に重なるように（重畳するように）なっている。【選択図】      図１
2005333179.tif 000002
【特許請求の範囲】
【請求項１】
ハウジングから引き出される接続コードを有するとともに、そのハウジングの一端に、耳殻装着用のイヤーハンガーを設けたイヤフォンを備える聴取装置において、
上記イヤーハンガーを用いて、耳殻に上記イヤフォンを装着したときに、
上記ハウジングから引き出される接続コードが垂れ下がり、上記ハウジングに重畳することを特徴とする聴取装置。
【請求項２】
上記ハウジングから引き出される上記接続コードが、そのハウジングの中心部よりも頭頂部側に位置することを特徴とする請求項１に記載の聴取装置。
【請求項３】
上記イヤーハンガーの一端は、上記ハウジングの一端に取り付けられる一方、上記イヤーハンガーの他端は、このイヤーハンガーによって形成される開口の開口端となっており、
顔表面に繋がる耳殻の付け根に、上記開口を差し込むことで、上記イヤーハンガーと上記ハウジングとで耳殻を挟持し、その耳殻に上記イヤフォンを装着したときに、
顔面側の耳殻に上記イヤーハンガーの一端、後頭部側の耳殻にイヤーハンガーの開口端が位置するようにするとともに、
上記ハウジングから引き出される上記接続コードが、ハウジングの中心部よりも頭頂部側に位置することを特徴とする請求項１に記載の聴取装置。
【請求項４】
ハウジングから引き出される接続コードを有するとともに、そのハウジングの一端に、耳殻装着用のイヤーハンガーを設けたイヤフォンを備える聴取装置において、
上記イヤーハンガーと上記ハウジングとで耳殻を挟持することで、その耳殻に上記イヤフォンを装着したときに、
上記ハウジングから引き出される接続コードを引っ張ることで、上記イヤーハンガーに対する上記ハウジングの付勢力を高めることを特徴とする聴取装置。
【請求項５】
上記イヤーハンガーの一端は、上記ハウジングの一端に取り付けられる一方、上記イヤーハンガーの他端は、このイヤーハンガーによって形成される開口の開口端となっており、
顔表面に繋がる耳殻の付け根に、上記開口を差し込むことで、上記イヤーハンガーと上記ハウジングとで耳殻を挟持し、その耳殻に上記イヤフォンを装着したときに、
上記ハウジングから引き出される接続コードを引っ張ることで、上記イヤーハンガーの一端が頭頂部側に移動するとともに、上記接続コードの位置が耳たぶ側へ移動することで、上記ハウジングを移動させ、上記イヤーハンガーに対する上記ハウジングの付勢力を高めることを特徴とする請求項４に記載の聴取装置。
【請求項６】
上記イヤーハンガーの一端は、上記ハウジングの一端で回動可能に取り付けられる一方、上記イヤーハンガーの他端は、このイヤーハンガーによって形成される開口の開口端となっており、
顔表面に繋がる耳殻の付け根に、上記開口を差し込むことで、上記イヤーハンガーと上記ハウジングとで耳殻を挟持し、その耳殻に上記イヤフォンを装着したときに、
上記ハウジングから引き出される接続コードを引っ張ることで、上記イヤーハンガーの一端における回動軸の軸方向がほぼ水平方向となるとともに、その回動軸を中心に回動するハウジングが頭部中央方向に向かって回動することで、上記イヤーハンガーに対する上記ハウジングの付勢力を高めることを特徴とする請求項４に記載の聴取装置。
【請求項７】
上記ハウジングから引き出される上記接続コードが、上記ハウジングにおける中心部から頭頂部側および後頭部側の放射方向に、位置することを特徴とする請求項４〜６のいずれか１項に記載の聴取装置。
【請求項８】
ハウジングの一端に、耳殻装着用のイヤーハンガーの一端を回動可能に取り付けたイヤフォンを備える聴取装置において、
上記イヤーハンガーを用いて、耳殻に上記イヤフォンを装着したとき、耳殻に対する上記イヤーハンガーの接触箇所から上記ハウジングの重心までの距離を延長させるために、  上記イヤーハンガーの取り付けられたハウジングの一端を、頭部中央方向側に向けて延出させることを特徴とする聴取装置。
【発明の詳細な説明】
【技術分野】
【０００１】
本発明は、オーディオ信号源からの信号を音声として聴取するヘッドフォン（イヤースピーカー）等の聴取装置に関するものである。
【背景技術】
【０００２】
従来、２つのイヤフォンをバンドで連結させたヘッドフォンが主流であった。しかし、このようなヘッドフォンは、聴取者の左右の耳殻から頭頂部にかけてバンドが位置するようになる。そのため、ヘアスタイルに影響を与えることになり、ファッションを気にかける人々から敬遠されがちであった。
【０００３】
そこで、最近では、バンドを有さずに、スピーカ（ドライバーユニット）内蔵のイヤフォン自体をイヤーハンガー（耳かけ部）によって、聴取者の耳殻にかけることのできるヘッドフォン（イヤフォン）が種々提案されている（例えば、特許文献１等）。
【０００４】
例えば、図１１は、イヤーハンガー式（耳かけ式）のヘッドフォン１２１を構成するイヤフォン１１１の概略図である。図１１（ａ）はイヤフォン（左側イヤフォン）１１１の正面図であり、図１１（ｂ）は上方からみたイヤフォン１１１の平面図、図１１（ｃ）は図１１（ａ）に示すイヤフォン１１１の矢視Ｆ−Ｆ’線断面図である（ただし、便宜上、イヤーハンガー１１６は省略する）。
【０００５】
これらの図に示すように、イヤフォン１１１の本体部であるハウジング１１２に、ドライバーユニット１１３・イヤーパッド１１５が取り付けてられている。そして、オーディオ信号源（再生装置）からの信号が、接続コード１０１を介して、ドライバーユニット１１３に送信される。すると、ドライバーユニット１１３は送信された信号を音声に変換し、その音声はイヤーパッド１１５を通して、耳殻に（具体的には、外耳道の入り口である耳穴から鼓膜へ通じるように）放射されるようになっている。
【０００６】
そして、図１２に示すように、ハウジング１１２に設けられた耳かけ部（イヤーハンガー）１１６によって、イヤフォン１１１（ヘッドフォン１２１）が、聴取者の耳殻に装着されるようになっている。なお、図１２（ａ）はイヤフォン１１１を耳殻に装着したときの頭部を側方からみたときの側面図であり、図１２（ｂ）は上方から頭部（頭頂部）をみたときの平面図であり、図１２（ｃ）は頭部を正面（顔面）からみたときの正面図である。
【特許文献１】特開２００２−４１０５６号公報（図８参照）
【発明の開示】
【発明が解決しようとする課題】
【０００７】
しかしながら、上述のように、イヤーハンガー１１６とハウジング１１２とによって、耳殻を挟み込むようにして、イヤフォン１１１が耳に装着された場合、顔表面とハウジング１１２（具体的にはハウジング１１２に取り付けられたイヤーパッド１１５）とに隙間、特に、鉛直（垂直）方向において隙間Ｓが生じてしまう。そのため、このヘッドフォン１２１（イヤフォン１１１）で音楽を聴こうとしたとき、音漏れや音質の低下が生じたり、耳殻に対するヘッドフォン１１１の装着が不安定になったりするという問題があった。
【０００８】
本発明は、上記の問題点を解決するためになされたものであって、その目的は、簡単な構成で、耳殻に対するイヤーパッド（ハウジング）の密着性を高めることのできるヘッドフォン等の聴取装置を提供することにある。
【課題を解決するための手段】
【０００９】
本発明の聴取装置は、ハウジングから引き出される接続コードを有するとともに、そのハウジングの一端に、耳殻装着用のイヤーハンガーを設けたイヤフォンを備える聴取装置であって、上記イヤーハンガーを用いて、耳殻に上記イヤフォンを装着したときに、上記ハウジングから引き出される接続コードが垂れ下がり、上記ハウジングに重畳することを特徴としている。
【００１０】
これによると、垂れ下がる接続コード自体の質量（接続コードの自重）が、ハウジングに加わることになり、ハウジングが耳殻に対して押しつけられるようになる。つまり、接続コードの自重がハウジングに付加されることで、ハウジングを耳殻に向けて移動させようとする力がより大きくなり、その結果、ハウジング、ひいてはイヤフォンを耳殻に対して密着させることができる。
【００１１】
つまり、本発明の聴取装置では、簡易に付勢力（ハウジングを耳殻に対して押しつける力；押圧力）を増加させることができ、イヤフォンを耳殻に均一に密着させることができる。そのため、音声の質（再生音質等）を劣化させられることなく、聴取者が聞き取ることのできる高音質な聴取装置（ヘッドフォン等）となる。
【００１２】
また、特に、上記ハウジングから引き出される上記接続コードが、そのハウジングの中心部よりも頭頂部側に位置することが好ましい。
【００１３】
より詳説するなら、上記イヤーハンガーの一端は、上記ハウジングの一端に取り付けられる一方、上記イヤーハンガーの他端は、このイヤーハンガーによって形成される開口の開口端となっており、顔表面に繋がる耳殻の付け根に、上記開口を差し込むことで、上記イヤーハンガーと上記ハウジングとで耳殻を挟持し、その耳殻に上記イヤフォンを装着したときに、顔面側の耳殻に上記イヤーハンガーの一端、後頭部側の耳殻にイヤーハンガーの開口端が位置するようにするとともに、上記ハウジングから引き出される上記接続コードが、ハウジングの中心部よりも頭頂部側に位置することが好ましい。
【００１４】
これらによると、耳殻にイヤフォンを装着したときに、引力によって、確実に接続コードが垂れ下がることになるためである。したがって、本発明の聴取装置では、容易にハウジングと接続コードとが重なるようになる。
【００１５】
また、本発明の聴取装置では、ハウジングから引き出される接続コードを有するとともに、そのハウジングの一端に、耳殻装着用のイヤーハンガーを設けたイヤフォンを備える聴取装置であって、上記イヤーハンガーと上記ハウジングとで耳殻を挟持することで、その耳殻に上記イヤフォンを装着したときに、上記ハウジングから引き出される接続コードを引っ張ることで、上記イヤーハンガーに対する上記ハウジングの付勢力を高めることを特徴としている。
【００１６】
より、詳説するなら、上記イヤーハンガーの一端は、上記ハウジングの一端に取り付けられる一方、上記イヤーハンガーの他端は、このイヤーハンガーによって形成される開口の開口端となっており、顔表面に繋がる耳殻の付け根に、上記開口を差し込むことで、上記イヤーハンガーと上記ハウジングとで耳殻を挟持し、その耳殻に上記イヤフォンを装着したときに、上記ハウジングから引き出される接続コードを引っ張ることで、上記イヤーハンガーの一端が頭頂部側に移動するとともに、上記接続コードの位置が耳たぶ側へ移動することで、上記ハウジングを移動させ、上記イヤーハンガーに対する上記ハウジングの付勢力を高めることが好ましい。
【００１７】
また、詳説するなら、上記イヤーハンガーの一端は、上記ハウジングの一端で回動可能に取り付けられる一方、上記イヤーハンガーの他端は、このイヤーハンガーによって形成される開口の開口端となっており、顔表面に繋がる耳殻の付け根に、上記開口を差し込むことで、上記イヤーハンガーと上記ハウジングとで耳殻を挟持し、その耳殻に上記イヤフォンを装着したときに、上記ハウジングから引き出される接続コードを引っ張ることで、上記イヤーハンガーの一端における回動軸の軸方向がほぼ水平方向となるとともに、その回動軸を中心に回動するハウジングが頭部中央方向に向かって回動することで、上記イヤーハンガーに対する上記ハウジングの付勢力を高めることが好ましい。
【００１８】
これらによると、接続コードを引っ張ることで、ハウジングに移動（回動）が生じる。すると、このハウジングの移動（回動）過程における引っ張り力が、ハウジングの耳殻に対する押しつけ力に転換されることになる。つまり、接続コードが引っ張られることによって、頭部中央方向にハウジングを引きつけるようになる。そのため、ハウジングが耳殻に対して押しつけられるようになり（耳殻に対する付勢力が発生するようになり）、このハウジングとイヤーハンガーとの挟持力が高まることになる。
【００１９】
したがって、本発明の聴取装置では、簡易に付勢力が増加することになり、イヤフォンが耳殻に均一に密着する。そのため、音声の質（再生音質等）を劣化させられることなく、聴取者が聞き取ることのできる高音質な聴取装置（ヘッドフォン等）となる。
【００２０】
また、特に、容易に接続コードを引っ張れるようにするために、上記ハウジングから引き出される上記接続コードが、上記ハウジングにおける中心部から頭頂部側および後頭部側の放射方向に、位置することが好ましい。このようにすると、その接続コードを地平面に（下側）に引っ張りやすくなる。
【００２１】
また、本発明の聴取装置では、ハウジングの一端に、耳殻装着用のイヤーハンガーの一端を回動可能に取り付けたイヤフォンを備える聴取装置であって、上記イヤーハンガーを用いて、耳殻に上記イヤフォンを装着したとき、耳殻に対する上記イヤーハンガーの接触箇所から上記ハウジングの重心までの距離を延長させるために、上記イヤーハンガーの取り付けられたハウジングの一端を、頭部中央方向側に向けて延出させることを特徴としている。
【００２２】
これによると、ハウジングの一端が、頭部中央方向側に向けて延出することによって、ハウジングの一端の延出しない聴取装置に比べて、延出長（例えばハウジングの厚みの長さよりも長い距離）ぶんだけ、耳殻におけるイヤーハンガーの接触箇所からハウジングの重心までの距離が長くなる。すると、梃子の原理によって、ハウジングが耳殻に対して押しつけられるようになる（耳殻に対する付勢力（押圧力）が発生するようになる）。
【００２３】
つまり、重心までの距離が離れることで、梃子の原理が働き、同じ質量のハウジングであっても、そのハウジングを耳殻に向けて移動させようとする力がより大きくなり（耳殻に対する付勢力（側圧）が発生するようになり）、その結果、ハウジング、ひいてはイヤフォンを耳殻に対して密着させることができる。
【００２４】
したがって、本発明の聴取装置では、簡易に付勢力が増加することになり、イヤフォンが耳殻に均一に密着する。そのため、音声の質（再生音質等）を劣化させられることなく、聴取者が聞き取ることのできる高音質な聴取装置（ヘッドフォン等）となる。
【発明の効果】
【００２５】
本発明の聴取装置（ヘッドフォン等）によれば、簡易に（例えば耳の痛み等の不快感なく）付勢力を増加させることで、イヤフォンを耳殻に均一に密着させることができる。そのため、付勢力（側圧）不足に起因する耳殻とハウジング（イヤーパッド）との隙間を抑えることができ、音声の質（再生音質等）を劣化させられることなく、聴取者が聞き取ることのできる高音質な聴取装置となる。
【発明を実施するための最良の形態】
【００２６】
本発明の実施の一形態について、図面に基づいて説明すれば、以下の通りである。
【００２７】
〔実施の形態１〕
図２は、本発明のヘッドフォン（聴取装置）２１を示す概略構成図である。この図に示すように、ヘッドフォン２１は、接続プラグ３、接続コード１、およびイヤフォン（左側イヤフォン・右側イヤフォン）１１・１１を含む構成である。
【００２８】
接続プラグ３は、不図示のオーディオ信号源と接続するためのプラグである。接続コード１は、音声信号を伝送させる信号線を、例えば樹脂チューブに挿通させることで構成されている。そして、この接続コード１は、接続プラグ３を介してオーディオ信号源から送信されてくるオーディオ信号（音声信号）をイヤフォン１１のドライバーユニット１３（後述）に伝送させるものである。そのため、接続コード１は、イヤフォン１１（イヤフォン１１を構成するハウジング１２）に取り付けられている（ハウジング１２から引き出されるようになっている）。
【００２９】
左側イヤフォン・右側イヤフォン１１・１１は、同様の構造を有するイヤフォン（聴取器）１１である。図１は、左側イヤフォン１１を図示したものであり、図１（ａ）は左側イヤフォン１１の正面図、図１（ｂ）は上方からみたイヤフォン１１の平面図、図１（ｃ）は図１（ａ）に示すイヤフォン１１の矢視Ａ−Ａ’線断面図となっている。なお、図１（ｃ）では、便宜上、イヤーハンガー１６、接続コード１を省略している。
【００３０】
図１に示すように、イヤフォン１１は、ハウジング（筐体）１２、ドライバーユニット（スピーカユニット）１３、イヤーパッド１５、およびイヤーハンガー１６を含む構成である。
【００３１】
ハウジング１２は、イヤフォン１１の本体となるものである。そして、このハウジング１２の内部には、ドライバーユニット１３が取り付けられるようになっている。一方、ハウジング１２の外部（外縁）には、イヤーハンガー１６を取り付けるために突き出るように設けられた（突設された）イヤーハンガー取り付け部（Ｙ取り付け部）１４が設けられている。
【００３２】
ドライバーユニット１３は、接続コード１を介してオーディオ信号源から送信されてくるオーディオ信号（音声信号）を音声に変換させるとともに、その音声を出力（放音）するものである。そのため、ドライバーユニット１３には接続コード１が接続されるとともに、この接続コード１はハウジング１２から引き出されるようになっている。
【００３３】
イヤーパッド１５は、ドライバーユニット１３から放音される方向に設けられた、例えばスポンジ状のパッドである。なお、上記の放音される方向に位置するハウジング１２の一面側を背面側とし、その背面側の裏側に位置するハウジング１２の一面側を正面側とする。
【００３４】
イヤーハンガー１６は、イヤフォン１１、ひいてはヘッドフォン２１を耳殻に装着させるものであり、例えば湾曲状の部材（アーム；例えば湾曲状アーム）から構成されている。そして、この湾曲状アーム１６（イヤーハンガー１６）は、Ｙ取り付け部１４に取り付けられるようになっている。具体的には、湾曲状アーム１６の一端（取り付け端）が、回動可能となってＹ取り付け部１４（ハウジング１２）に支持されるように取り付けられている。なお、Ｙ取り付け部１４に取り付けられる湾曲状アーム１６の一端（端部）を取り付け端１６ａ、他端（Ｙ取り付け部１４に取り付けられていない側の端部）を開口端１６ｂ、中心部分を中点１６ｃとする。
【００３５】
ここで、イヤーハンガー１６（湾曲状アーム１６）が引っかかることになる耳殻について、図３を用いて説明する。図３（ａ）は側方から頭部をみたときの耳殻、図３（ｂ）は上方から頭部（頭頂部）をみたときの耳殻、図３（ｃ）は頭部を正面（顔面）からみたときの耳殻となっている。そして、これらの図に示すように、頭頂部側の耳殻を耳殻上部、後頭部側の耳殻を耳殻後部、顔面側の耳殻を耳殻前部、耳殻上部に対向する位置の耳殻を耳殻下部（耳たぶ）とする。
【００３６】
図３（ｃ）に示すように、耳殻と顔表面（頭部表面）との繋がっている箇所（耳殻の付け根）には、溝（耳の裏）が生じる。すなわち耳殻の付け根には、耳殻上部（頭頂部側の耳殻）・耳殻後部（後頭部側の耳殻）・耳殻下部（耳たぶ）と顔表面（頭部表面）とによって挟まれる溝が生じている。そこで、この溝を利用して、イヤーハンガー１６（湾曲状アーム１６）の開口を、耳殻の付け根の上部から溝に差し込むようにして（耳殻の付け根に差し込むようにして）、イヤフォン１１を耳殻に装着する（イヤーハンガー１６を耳殻に引っかける）ようになっている。
【００３７】
なお、イヤーハンガー１６によって耳殻に差し込まれた（引っかけられた）イヤフォン１１は、湾曲状アーム１６とハウジング１２（ハウジング１２の背面側（背面））との挟持力によって、耳殻を挟み込むようになっている。そのため、湾曲状アーム１６は、上述したように回動可能となっているとともに、板バネ等の弾性部材（不図示）によって、ハウジング１２の背面側から正面側に向かって付勢されるように（押しつけられるように）なっている。したがって、イヤーハンガー１６が、ハウジング１２から解離（離間）するように回動したとしても、付勢力によって、耳殻を挟み込めるようになっている。
【００３８】
また、回動可能な構造としては、種々考えられる。例えば湾曲状アーム１６の一端（取り付け端）１６ａに軸ピン１７が設けられており、Ｙ取り付け部１４には、その軸ピン１７の直径とほぼ同径の挿入孔１８が設けられ、この挿入孔１８に軸ピン１７が挿入されることで（軸支されることで）、回動可能に取り付けられるようにしてもよい。
【００３９】
また、イヤーハンガー１６は、必ずしも回動可能なように構成される必要はない。例えばＹ取り付け部１４（ハウジング１２）とイヤーハンガー１６とが樹脂等で一体成型されており、樹脂等の有する弾性力で、耳殻をイヤーハンガー１６とハウジング１２とで挟持できるようになっていればよい。
【００４０】
ここで、本発明のヘッドフォン２１の特徴的な構成について説明する。
【００４１】
ヘッドフォン２１を構成するイヤフォン１１に接続されている（取り付けられている）接続コード１は、ヘッドフォン２１（イヤフォン１１）を装着したとき、聴取者の耳殻上部（頭頂部側の耳殻）に対応するハウジング１２の箇所に取り付けられる（接続される）ようになっている。つまり、ハウジング１２から引き出される接続コード１が、ハウジング１２の中心部よりも頭頂部側に位置するようになっている。
【００４２】
例えば、図４に示すように、湾曲状アーム１６の開口が、耳殻の付け根の上部（図３参照）から溝（耳の裏）に差し込まれることで、イヤフォン１１を耳殻に装着させると、湾曲状アーム１６の一端（取り付け端）１６ａが耳殻前部（顔面側の耳殻）に位置する一方、湾曲状アーム１６の他端（開口端）１６ｂが耳殻後部（後頭部側の耳殻）に位置するようになる。すると、湾曲状アーム１６の中点１６ｃ近傍のハウジング１２の箇所が、聴取者の耳殻上部に対応する箇所となる。つまり、聴取者がイヤフォン１１を装着したとき、そのイヤフォン１１のハウジング１２の中心部Ｍよりも上部の箇所に（頭頂部側に）、接続コード１が引き出されるようになっている。
【００４３】
このように、ハウジング１２から接続コード１が引き出されていると、音声（再生音声）を聞くためにヘッドフォン２１（イヤフォン１１）を耳殻に装着したとき、接続コード１が、聴取者の耳殻上部から耳殻下部に向かって垂れ下がるようになる（頭頂部側から耳たぶ側に向かって垂れ下がるようになる）。つまり、ハウジング１２の中心部Ｍよりも上部から下部に向かって垂れ下がるようになる。そのため、ハウジング１２と接続コード１とが重なるようになる（重畳するようになる）。
【００４４】
以上のように、本発明のヘッドフォン２１は、ハウジング１２から引き出される接続コード１を有するとともに、そのハウジング１２のＹ取り付け部１４に、耳殻装着用のイヤーハンガー１６を設けたイヤフォン１１を備えたヘッドフォン２１である。そして、そのイヤーハンガー１６を用いて耳殻にイヤフォン１１を装着したとき、ハウジング１２から引き出される接続コード１が垂れ下がり、ハウジング１２に重なるように（重畳するように）なっている。
【００４５】
特に、耳殻にイヤフォンを装着したときに、引力によって、確実に接続コードが垂れ下がるようにするため、すなわち、確実に接続コード１とハウジング１２とを重ね合うようにするため、ハウジング１２から引き出される接続コード１が、ハウジング１２の中心部Ｍよりも頭頂部側に位置するようにしている。
【００４６】
より具体的には、顔表面に繋がる耳殻の付け根に、イヤーハンガー１６の開口を差し込むことで、イヤーハンガー１６とハウジング１２とで耳殻を挟持し、その耳殻にイヤフォン１１を装着したときに、顔面側の耳殻にイヤーハンガーの取り付け端１６ａ、後頭部側の耳殻にイヤーハンガー１６の開口端１６ｂが位置するようにするとともに、ハウジング１２から引き出される接続コード１が、ハウジング１２の中心部Ｍよりも頭頂部側に位置するようになっている。
【００４７】
すると、接続コード１自体の質量（接続コード１の自重）が、ハウジング１２に加わることになる。そのため、ハウジング１２（イヤーパッド１５）が耳殻に対して押しつけられるようになり（耳殻に対する付勢力（側圧）が発生するようになり）、このハウジング１２とイヤーハンガー１６との挟持力が高まることになる。つまり、接続コード１の自重がハウジング１２に付加されることで、ハウジング１２を耳殻に向けて移動させようとする力（例えば上述のように軸ピン１７が回転するような場合には回転させようとする力（回転モーメント））がより大きくなり、その結果、ハウジング１２、ひいてはイヤフォン１１を耳殻に対して密着（圧着）させることができる。
【００４８】
したがって、イヤフォン１１（ヘッドフォン２１）からの音漏れ（空気漏れ等）が低減されるとともに、簡易に付勢力（ハウジング１２を耳殻に対して押しつける力；押圧力）を増加させることができる。その結果、イヤフォン１１が耳殻に均一に密着し、音声の質（再生音質等）を劣化させられることなく、聴取者が聞き取ることができる高音質なヘッドフォン２１となる。
【００４９】
なお、上述では、イヤーハンガー１６が回動可能な構造をとっているものを用いて説明したが、これに限定されることはなく、回動可能な構成を有しないイヤーハンガー１６（例えばＹ取り付け部１４とイヤーハンガー１６とが樹脂等で一体成型されているもの）であっても、上述の効果は得られるようになっている。
【００５０】
〔実施の形態２〕
本発明の実施の形態について説明する。なお、実施の形態１で用いた部材と同様の機能を有する部材については、同一の符号を付記し、その説明を省略する。
【００５１】
実施の形態１では、接続コード１の自重によって、ハウジング１２（イヤフォン１１）を耳殻に対して押しつけるような構成をしたヘッドフォン２１について説明した。そこで、この実施の形態２では、接続コード１の自重に依存することなく、ハウジング１２を耳殻に対して押しつける構成のヘッドフォン２１について説明する。
【００５２】
本発明のヘッドフォン２１では、イヤフォン１１を耳殻に対してより密着させる、すなわちイヤーハンガー１６に対するハウジング１２の付勢力（押圧力）を高めさせようとするために、イヤフォン１１を耳殻において移動（回動等）させるようにしている。そこで、図５に示すように、イヤフォン１１を移動させ易くするため、ハウジング１２から引き出される接続コード１が、イヤフォン１１を装着した聴取者の耳殻後部（後頭部側の耳殻）に対応するハウジング１２の箇所に取り付けられる（接続される）ようになっている。なお、図５（ａ）は左側イヤフォンの正面図であり、図５（ｂ）は上方から左側ヘッドフォン２１をみたときの平面図である。
【００５３】
例えば、図６に示すように、湾曲状アーム１６（イヤーハンガー１６）の開口を、耳殻の付け根の上部から溝（図３参照）に差し込むようにして、イヤフォン１１（ヘッドフォン２１）を耳殻に装着するようにすると、図６（ａ）に示すように、湾曲状アーム１６の一端（取り付け端）１６ａが耳殻前部（顔面側の耳殻）に位置する一方、湾曲状アーム１６の他端（開口端）１６ｂが耳殻後部（後頭部側の耳殻）に位置するようになる。そのため、ハウジング１２における中心部Ｍから頭頂部側および後頭部側の放射方向の箇所に、接続コード１が引き出されるようになっている。
【００５４】
つまり、本発明のヘッドフォン２１は、イヤーハンガー１６とハウジング１２とで耳殻を挟持することで、その耳殻にイヤフォン１１を装着したときに、ハウジング１２から引き出される接続コード１を引っ張りやすい位置に設けている。そして、この接続コード１を引っ張ることで、イヤーハンガー１６に対するハウジング１２の付勢力を高めるようになっている。
【００５５】
そして、特に、付勢力を容易に高めるように、すなわち容易に接続コード１を引っ張れるようにするために、ハウジング１２から引き出される接続コード１が、ハウジング１２における中心部Ｍから頭頂部側および後頭部側の放射方向に位置するようになっている。このようにすると、その接続コード１を地平面に（下側）に引っ張りやすくなる。
【００５６】
このように、ハウジング１２から接続コード１が引き出されていると、図６（ｂ）に示すように、聴取者（ユーザー）が接続コード１を耳殻から後頭部側へと引っ張ることができる。すると、ハウジング１２は、頭頂部側へ偏移しつつ、ハウジング１２自体が時計回りに回動（回転）するようになる。そのため、耳殻前部から耳殻上部に位置するイヤーハンガー１６の取り付け端１６ａから中点１６ｃの部分が、耳殻上部から耳殻後部に向かって移動（回動等）することになる。また、同時に、耳殻上部から耳殻後部に位置するイヤーハンガー１６の中点１６ｃから開口端１６ｂの部分が、耳殻後部から耳殻下部（耳たぶ）に向かって移動することになる。なお、右側のイヤフォン１１ならハウジング１２は反時計回りに回動するようになっていることはいうまでもない。
【００５７】
つまり、顔表面に繋がる耳殻の付け根に、イヤーハンガー１６の開口を差し込むことで、イヤーハンガー１６とハウジング１２とで耳殻を挟持し、その耳殻にイヤフォン１１を装着したときに、ハウジング１２から引き出される接続コード１を引っ張ることで、イヤーハンガー１６の取り付け端１６ａが頭頂部側に移動するとともに、接続コード１の位置が耳たぶ側へ移動して、ハウジング１２を回動させるようになっている。
【００５８】
そして、このようなハウジング１２の回動（移動）過程における引っ張り力（接続コード１を引っ張る力）が、ハウジング１２の耳殻に対する付勢力（押圧力）に転換されることになる。つまり、左側イヤフォン１１の接続コード１および右側イヤフォン１１の接続コード１は、引っ張られることによって、頭部中央方向にハウジング１２（左右ハウジング１２・１２）を引きつけるようになる。そのため、ハウジング１２が耳殻に対して押しつけられるようになり（耳殻に対する付勢力（押圧力）が発生するようになり）、このハウジング１２とイヤーハンガー１６との挟持力が高まることになる。つまり、頭部中央方向にハウジング１２が引きつけられることで、ハウジング１２を耳殻に向けて移動させようとする力がより大きくなり、その結果、ハウジング１２、ひいてはイヤフォン１１が耳殻に対して密着するようになる。
【００５９】
したがって、イヤフォン１１（ヘッドフォン２１）からの音漏れが低減され、聴取者は、音声を質（音質）を劣化させられることなく聞き取ることができる。
【００６０】
なお、上述では、イヤーハンガー１６が回動可能な構造をとっているものを用いて説明したが、これに限定されることはなく、回動可能な構成を有しないイヤーハンガー１６であっても、上述の効果は得られるようになっている。
【００６１】
ただし、イヤーハンガー１６が回動可能な構造を有する場合に、イヤーハンガー１６の取り付け端１６ａから中点１６ｃの部分が、耳殻上部から耳殻後部に、偏移して位置するようになると、取り付け端１６ａの軸ピン１７の軸方向は、鉛直方向から水平方向に近づくようになる。すると、図７に示すように、左側イヤフォン１１の接続コード１と右側イヤフォン１１の接続コード１とが連結している連結点等を引っ張ると（要は接続コード１を引っ張ると）、左側ハウジング・右側ハウジング１２・１２は、軸ピン１７を中心とする回動によって、頭部中央方向に密着するようになる。
【００６２】
つまり、本発明のヘッドフォン２１では、イヤーハンガー１６の取り付け端１６ａ（軸ピン１７）が、ハウジング１２のＹ取り付け部１４で回動可能に取り付けられる一方、イヤーハンガー１６の他端が、このイヤーハンガー１６によって形成される開口の開口端１６ｂとなっている。そのため、顔表面に繋がる耳殻の付け根に、開口を差し込むことで、イヤーハンガー１６とハウジング１２とで耳殻を挟持し、その耳殻にイヤフォン１１を装着できる。そして、イヤフォン１１を装着したときに、ハウジング１２から引き出される接続コード１を引っ張ることで、イヤーハンガー１６の取り付け端１６ａにおける軸ピン１７の軸方向がほぼ水平方向となるとともに、その軸ピン１７を中心に回動するハウジング１２が頭部中央方向に向かって（左側のハウジング１２なら時計回転方向で、右側のハウジング１２なら反時計回転方向で頭部中央方向に向かって）回動するようになっている。
【００６３】
つまり、軸ピン１７の軸方向がほぼ水平方向になり、ハウジング１２の移動（回動）過程における引っ張り力（接続コード１を引っ張る力）が、ハウジング１２の耳殻に対する付勢力（押圧力）、すなわちハウジング１２が耳殻に向かって回転しようとする力（回転モーメント）に効率よく転換されやすくなる（耳殻に対する付勢力（側圧）が発生しやすくなる）。したがって、回転モーメントがより一層大きくなり、ハウジング１２、ひいてはイヤフォン１１（ヘッドフォン２１）を耳殻に対して密着させることができる。
【００６４】
その結果、回動可能な構成を有しないイヤーハンガー１６からなるイヤフォン１１を備えたヘッドフォン２１比べて、一層効率よく、ハウジング１２、ひいてはイヤフォン１１（ヘッドフォン２１）を耳殻に対して密着させることができる。
【００６５】
〔実施の形態３〕
本発明の実施の形態について説明する。なお、実施の形態１・２で用いた部材と同様の機能を有する部材については、同一の符号を付記し、その説明を省略する。
【００６６】
実施の形態１・２では、接続コード１の配置を種々変更することで、ハウジング１２（イヤフォン１１）を耳殻に対して押しつけるような構成について説明した。そこで、この実施の形態３では、接続コード１に依存することなく、ハウジング１２を耳殻に対して押しつける構成について説明する。
【００６７】
本発明のヘッドフォン２１では、図８に示すように、イヤーハンガー１６の取り付け部分であるＹ取り付け部１４が、耳殻に近づく方向側（頭部中央方向側）、すなわちハウジング１２からドライバーユニット１３を介して放音される方向側（放音方向側）に向かって（ハウジング１２から頭部中央方向に向かって）突出したアーム（取り付けアーム１４ａ（１４））となって設けられている。そのため、Ｙ取り付け部１４の挿入孔１８に挿入されるイヤーハンガー１６の軸ピン１７、ひいてはイヤーハンガー１６が、ハウジング１２から一定距離（取り付けアーム長だけ）解離して取り付けられるようになる。
【００６８】
つまり、イヤーハンガー１６を用いて、耳殻にイヤフォン１１を装着したとき、耳殻に対するイヤーハンガー１６の接触箇所からハウジング１２の重心までの距離を延長させるために、イヤーハンガー１６の取り付けられたＹ取り付け部１４を、頭部中央方向側に向けて延出、すなわち取り付けアーム１４ａを延びるように形成（延成）させるようになっている（延出するようになっている）。
【００６９】
なお、図８（ａ）は左側イヤフォンの正面図であり、図８（ｂ）は図８（ａ）に示すイヤフォンを矢視Ｂ−Ｂ’からみたときの側面図であり、図８（ｃ）は図８（ａ）に示すイヤフォンのＣ−Ｃ’線矢視断面図である。なお、図８（ｃ）では、便宜上、イヤーハンガー１６を省略している。
【００７０】
このように、イヤーハンガー１６とハウジング１２との間隔を広げるべく、例えば少なくとも、ハウジング１２の厚み（ハウジングにおける正面側から背面側までの距離）の長さよりも長い距離の取り付けアーム１４ａを形成すると、ヘッドフォン２１を耳殻に装着したとき、耳殻（具体的にはイヤーハンガー１６が接触する耳殻の箇所）と、ハウジング１２の重心との距離が異なってくる。
【００７１】
例えば図９（ａ）は、ハウジング１２に放音方向側（頭部中央方向側）へ向かう取り付けアーム１４ａを設けた左側イヤフォン（ヘッドフォン２１）が左耳殻に装着された状態を、上方からみた説明図である。一方、図９（ｂ）は、取り付けアーム１４ａを設けない左側イヤフォン（ヘッドフォン２１）が左耳殻に装着された状態を、上方からみた説明図である。なお、この図９において、イヤフォン１１の重心を黒丸（●）で示している。また、この図９に対応して、図１０では、正面からみた耳殻と重心との関係を示す説明図となっている。なお、図１０では、便宜上、イヤフォン１１を省略し、イヤフォン１１の重心を明確にしている。
【００７２】
これらの図９・図１０を参照して、図９（ａ）・図１０（ａ）と、図９（ｂ）・図１０（ｂ）とを比較してみると、イヤーハンガー１６の接触する耳殻の箇所と、ハウジング１２（ヘッドフォン２１）の重心との距離（距離Ｐ・距離Ｑ）は異なっている。
【００７３】
具体的には、取り付けアーム１４ａを設けたイヤフォンを耳殻に装着した場合の距離（距離Ｐ；図９（ａ）・図１０（ａ）参照）のほうが、取り付けアームを設けないイヤフォン１１を耳殻に装着した場合の距離（距離Ｑ；図９（ｂ）・図１０（ｂ）参照）に比べて長くなる。
【００７４】
すると、梃子の原理によって、取り付けアーム１４ａを設けたイヤフォンを耳殻に装着した場合、取り付けアームを設けないイヤフォン１１を耳殻に装着した場合に比べて、ハウジング１２が耳殻に対して押しつけられるようになる（耳殻に対する付勢力（押圧力）が発生するようになる）。
【００７５】
つまり、イヤーハンガー１６の接触する耳殻の箇所を支点とすると、その支点からハウジング１２（イヤフォン１１）の重心までの距離が離れることで、梃子の原理が働く。すると、同じ質量のハウジング１２（イヤフォン１１）であっても、そのハウジング１２を耳殻に向けて移動させようとする力（例えば上述のように軸ピン１７が回転するような場合には回転させようとする力（回転モーメント））がより大きくなり（耳殻に対する付勢力（側圧）が発生するようになり）、その結果、ハウジング１２、ひいてはイヤフォン１１を耳殻に対して密着させることができる。
【００７６】
したがって、イヤフォン１１（ヘッドフォン２１）からの音漏れが低減され、聴取者は、音声を質（音質）を劣化させられることなく聞き取ることができる。
【００７７】
また、実施の形態１・２同様、イヤーハンガー１６が回動可能な構造をとっているものを用いて説明したが、これに限定されることはなく、回動可能な構成を有しないイヤーハンガー１６であっても、上述の効果は得られるようになっている。
【００７８】
〔その他の実施の形態〕
なお、本発明は上記の実施の形態に限定されず、本発明の趣旨を逸脱しない範囲で、種々の変更が可能である。
【００７９】
例えば実施の形態１と実施の形態２とを組み合わせてもよい。すると、本発明のヘッドフォンは、ハウジングから引き出される接続コードを有するとともに、そのハウジングの一端に、耳殻装着用のイヤーハンガーを設けたイヤフォンを備える聴取装置であって、上記イヤーハンガーと上記ハウジングとで耳殻を挟持することで、その耳殻に上記イヤフォンを装着したときに、上記ハウジングから引き出される接続コードが垂れ下がり、上記ハウジングに重畳するとともに、上記ハウジングから引き出される接続コードを引っ張ることで、上記イヤーハンガーに対する上記ハウジングの付勢力を高めることを特徴とするヘッドフォンともいえる。
【００８０】
つまり、接続コード１の引き出し位置が、ハウジング１２に重畳する位置であると同時に、その接続コード１を引っ張ることで、ハウジング１２を回動等させやすい位置にあってもよいといえる。そして、その結果、より一層、ハウジング１２、ひいてはイヤフォン１１を耳殻に対して密着させることができる。
【００８１】
また、実施の形態１と実施の形態３とを組み合わせてもよいし、実施の形態２と実施の形態３とを組み合わせてもよい。
【００８２】
すると、本発明のヘッドフォンは、ハウジングから引き出される接続コードを有するとともに、そのハウジングの一端に、耳殻装着用のイヤーハンガーを設けたイヤフォンを備えるヘッドフォンであって、上記イヤーハンガーを用いて、耳殻に上記イヤフォンを装着したときに、上記ハウジングから引き出される接続コードが垂れ下がり、上記ハウジングに重畳するとともに、耳殻に対する上記イヤーハンガーの接触箇所から上記ハウジングの重心までの距離を延長させるために、上記ハウジングの一端が、頭部中央方向側に向けて延出するようになっていることを特徴とするヘッドフォンともいえる。
【００８３】
また、ハウジングから引き出される接続コードを有するとともに、そのハウジングの一端に、耳殻装着用のイヤーハンガーを設けたイヤフォンを備えるヘッドフォンであって、上記イヤーハンガーと上記ハウジングとで耳殻を挟持することで、その耳殻に上記イヤフォンを装着したときに、上記ハウジングから引き出される接続コードを引っ張ることで、上記イヤーハンガーに対する上記ハウジングの付勢力を高めるとともに、耳殻に対する上記イヤーハンガーの接触箇所から上記ハウジングの重心までの距離を延長させるために、上記ハウジングの一端が、頭部中央方向側に向けて延出するようになっていることを特徴とするヘッドフォンともいえる。
【００８４】
つまり、接続コード１の位置を実施の形態１または２のように種々変更させるとともに、Ｙ取り付け部１４を実施の形態３のように取り付けアーム１４ａとしてもよいといえる。
【００８５】
これらのようにすれば、より一層、ハウジング１２、ひいてはイヤフォン１１を耳殻に対して密着させることができる。
【００８６】
なお、イヤーハンガー１６とハウジング１２との挟持力を高めるために、例えば両者（イヤーハンガー１６およびハウジング１２）の挟持力の源となるバネ（不図示）の付勢力を高めようとする方法もある。しかしながら、このようなヘッドフォン２１では、イヤーハンガー１６の回転軸（軸ピン１７）付近での回転モーメントの関係で、非常に強力なバネが必要になる。そのため、強くなったバネの力により、ヘッドフォン本体自体が歪んでしまうという問題が起こりうる。
【００８７】
しかしながら、上述の本発明では、バネに工夫を施す必要はないので、上記のような問題は起こりえない。
【００８８】
また、実施の形態１に記載するように、接続コード１とハウジング１２とを重畳させるために、ハウジング１２における接続コード１の引き出し位置から、ハウジング１２の下方、すなわち耳殻下部に対応するハウジング１２の箇所に、ガイドとなる溝（ガイドレール）を刻み込んでもよい（刻設してもよい）。
【００８９】
また、実施の形態３に記載するように、イヤーハンガー１６の接触する耳殻の箇所、すなわち支点から、ハウジング１２（イヤフォン１１）の重心までの距離が離れるようにするため、ハウジング１２内部に設けられるドライバーユニット１３等の部材の配設位置や重量を変更するようにしてもよい。
【００９０】
なお、本発明のヘッドフォンは、下記のように表現することもできる。
【００９１】
耳掛け式（イヤーハンガーを用いた方式）のヘッドフォンであって、その接続コードの引き出し位置をヘッドフォン本体の中心部より上方の部分に設置したことを特徴としたヘッドフォンいるともいえる。
【００９２】
また、耳掛け式のヘッドフォンであって、その接続コードの引き出し位置から、引き出し方向へ接続コードを引っ張った場合に、イヤーパッドと耳殻との密着性を高めることのできる位置に、接続コードの引き出し位置があることを特徴としたヘッドフォンともいえる。
【００９３】
また、耳掛け式のヘッドフォンであって、ヘッドフォン本体の重心点をイヤーハンガーが耳に接する点より外側に位置することを特徴としたヘッドフォンともいえる。
【００９４】
また、接続コードを介して送信される信号を音声に変換する放音部（ドライバーユニット）を有するハウジングに、耳殻装着用の耳かけ部を設けたイヤフォンを備えたヘッドフォンであって、上記放音部に接続された接続コードは、上記ハウジングの引き出し位置から引き出されるようになっており、耳殻にイヤフォンを装着したときに、上記引き出し位置から引き出されている上記接続コードが、上記ハウジングに重畳することを特徴とするヘッドフォンともいえる。
【産業上の利用可能性】
【００９５】
本発明は、イヤーハンガーを設けたイヤフォンを備えるヘッドフォンにおいて、有用である。
【図面の簡単な説明】
【００９６】
【図１】（ａ）は本発明のヘッドフォンを構成するイヤフォン（左側イヤフォン）の正面図であり、（ｂ）は上方から（ａ）のイヤフォンをみたときの平面図であり、（ｃ）は（ａ）に示すイヤフォンのＡ−Ａ’線矢視断面図である。
【図２】本発明のヘッドフォンの概略構成図である。
【図３】（ａ）は側方から頭部をみたときの耳殻を示す側面図であり、（ｂ）は上方から頭部（頭頂部）をみたときの耳殻の平面図であり、（ｃ）は頭部を正面（顔面）からみたときの耳殻を示す正面図である。
【図４】図１のイヤフォンを耳殻に装着した状態を示す説明図である。
【図５】図１（ａ）の他の一例を示す本発明のヘッドフォンを構成するイヤフォン（左側イヤフォン）の正面図であり、（ｂ）は上方から（ａ）のヘッドフォンをみたときの平面図である。
【図６】（ａ）は図５のイヤフォンを耳殻に装着した状態を示す説明図であり、（ｂ）は（ａ）のイヤフォンから引き出されている接続コードを引っ張った状態を示す説明図である。
【図７】図６（ｂ）の状態を顔面側からみた説明図である。
【図８】図１（ａ）・図５（ａ）の他の一例を示す本発明のヘッドフォンを構成するイヤフォン（左側イヤフォン）の正面図であり、（ｂ）は（ａ）に示すイヤフォンを矢視Ｂ−Ｂ’からみたときの側面図であり、（ｃ）は（ａ）に示すイヤフォンのＣ−Ｃ’線矢視断面図である。
【図９】（ａ）は、ハウジングに頭部中央方向側へ向かう取り付けアームを設けた左側イヤフォンが左耳殻に装着された状態を、上方からみた説明図であり、（ｂ）は、取り付けアームを設けない左側イヤフォンが左耳殻に装着した状態を、上方からみた説明図である。
【図１０】図９に対応して、（ａ）は図９（ａ）を正面からみた耳殻と重心との関係を示す説明図であり、（ｂ）は図９（ｂ）を正面からみた耳殻と重心との関係を示す説明図である。
【図１１】（ａ）は従来のヘッドフォンを構成するイヤフォン（左側イヤフォン）の正面図であり、（ｂ）は上方から（ａ）のイヤフォンをみたときの平面図であり、（ｃ）は（ａ）に示すイヤフォンのＦ−Ｆ’線矢視断面図である。
【図１２】（ａ）は図１１の従来のイヤフォンを耳殻に装着したときの頭部を側方からみたときの側面図であり、（ｂ）は上方から頭部（頭頂部）をみたときの平面図であり、（ｃ）は頭部を正面（顔面）からみたときの正面図である。
【符号の説明】
【００９７】
１    接続コード
１１    イヤフォン
１２    ハウジング
１４    イヤーハンガー取り付け部（ハウジングの一端）
１４ａ  取り付けアーム（延出したハウジングの一端）
１６    イヤーハンガー（湾曲状アーム）
１６ａ  取り付け端（イヤーハンガーの一端）
１６ｂ  開口端（イヤーハンガーの他端）
２１    ヘッドフォン（聴取装置）
Ｍ    ハウジングの中心部
【図１】
2005333179.tif 000003
【図２】
2005333179.tif 000004
【図３】
2005333179.tif 000005
【図４】
2005333179.tif 000006
【図５】
2005333179.tif 000007
【図６】
2005333179.tif 000008
【図７】
2005333179.tif 000009
【図８】
2005333179.tif 000010
【図９】
2005333179.tif 000011
【図１０】
2005333179.tif 000012
【図１１】
2005333179.tif 000013
【図１２】
2005333179.tif 000014